(57)【特許請求の範囲】
【請求項１】
ベース部材とこれに開閉可能に取り付けられる開閉部材とを備えて構成される遊技機において、前記ベース部材に対して前記開閉部材を揺動開閉自在にヒンジ接続させる上下一対の蝶番装置であって、
下側の前記蝶番装置が、前記ベース部材の側下部に固定されて水平に突出する下固定側板状部の上面に上方に突出して下支軸を取り付けた下固定部材と、前記開閉部材の側下部に固定されて水平に突出する下揺動側板状部に前記下支軸と嵌合可能な下軸支持孔を形成した下揺動部材とから構成され、前記下支軸を前記下軸支持孔内に嵌入させるようにして前記下揺動部材を前記下固定部材に上側から取り付けて前記下固定部材と前記下揺動部材とをヒンジ接続するように構成されており、
上側の前記蝶番装置が、前記ベース部材の側上部に固定された上固定部材と、前記開閉部材の側上部に固定され、前記上固定部材にヒンジ接続される上揺動部材とから構成され、
前記上固定部材が、前記ベース部材に固定されて水平に突出するとともに半円状の軸支持孔およびこの軸支持孔に繋がって後方に延びた長孔状のガイド孔が形成された平板状の板部材と、前記板部材の少なくとも前記軸支持孔およびその周囲を囲む部分の下面に重なって取り付けられるとともに前記軸支持孔の下側に位置するロック孔が形成された下蓋部材とから構成され、前記板部材における前記ガイド孔の後部側に隣接する上面が少なくとも左右方向一方側に開放されて導入部が形成されており、
前記上揺動部材が、前記開閉部材に固定されて水平前方に延びた上揺動側板状部と、前記上揺動側板状部の下面に下方に突出して取り付けられた上支軸とを有して構成され、
前記上支軸の内部に前記上支軸の下端面から下方に突出可能なロックピンが上下に移動可能に設けられており、
前記下固定部材と前記下揺動部材とをヒンジ接続させた状態で前記上支軸の下端面が前記導入部における前記板部材の上面よりも低い位置に位置するように構成されており、
前記下固定部材と前記下揺動部材とをヒンジ接続させた状態で前記開閉部材の上部を前後左右方向に移動させることにより、前記ロックピンを前記下端面より上側に位置させた状態の前記上支軸を、前記導入部における前記板部材の上面上に載置させ、さらに前記導入部を越えて前記ガイド孔内に導入するとともに前記ガイド孔に沿って前記軸支持孔内まで移動させた後、前記ロックピンを下方に移動させてその下端を前記ロック孔内に突出させて前記上支軸を前記軸支持孔内に保持して前記上揺動部材を前記上固定部材にヒンジ接続させるように構成されたことを特徴とする遊技機の蝶番装置。
【請求項２】
前記板部材における前記導入部および前記ガイド孔を除く上面を覆って上板部材が取り付けられていることを特徴とする請求項１に記載の遊技機の蝶番装置。
【請求項３】
前記板部材における前記導入部より前側部分が上方に折れ曲がって水平に延びる先端側板部が形成されており、前記ガイド孔の前部が前記先端側板部まで延びて前記軸支持孔が前記先端側板部に形成されており、前記先端側板部の下面に前記下蓋部材が取り付けられていることを特徴とする請求項１もしくは２に記載の遊技機の蝶番装置。
【請求項４】
前記上支軸の上下方向長さより前記下支軸の上下方向長さが長く設定されていることを特徴とする請求項１〜３のいずれかに記載の遊技機の蝶番装置。
【請求項５】
前記導入部における前記板部材の左右方向に開放された端部上面に面取りが設けられるとともに、前記上支軸の下端に全周にわたる面取りが設けられていることを特徴とする請求項１〜４のいずれかに記載の遊技機の蝶番装置
【請求項６】
前記ガイド孔が基部側に幅広で前方に向かってテーパ状に幅が狭くなる形状に形成されていることを特徴とする請求項１〜５のいずれかに記載の遊技機の蝶番装置。
【請求項７】
前記固定側基部に一体に繋がって前方に突出し、前記開閉部材が前記ベース部材に閉止状態で取り付けられた状態で前記上揺動部材の上側に位置する庇部が設けられていることを特徴とする請求項１〜６のいずれかに記載の遊技機の蝶番装置。
【発明の詳細な説明】
【０００１】
【発明の属する技術分野】
本発明は、ベース部材と開閉部材との間に配設されて、ベース部材と開閉部材とを相対的に揺動開閉自在に接続する蝶番装置に関する。
【０００２】
【従来の技術】
上記のような蝶番装置は遊技機に多用されており、その一例として、パチンコ機における外枠と前枠との間に配設される蝶番装置があげられる。パチンコ機の蝶番装置は、外郭方形状の開口を有する外枠とこの開口面域に合わせた開閉搭載用の前枠との互いの正面左側上下に配設された上下一対の蝶番装置からなる。上下の蝶番装置はそれぞれ、図１３に示すように、水平に配設された第１板状部８０１に軸支持孔８０２が形成された第１ヒンジ部材８００と、水平に配設された第２板状部８０６から上方に突出する支軸８０７が固設された第２ヒンジ部材８０５とから構成される。このような構成の上下一対の蝶番装置において、軸支持孔８０２内に支軸８０７を嵌入させて第１および第２ヒンジ部材８００，８０５を水平に相対回動自在に接続させることにより、外枠に対して前枠を揺動開閉および着脱可能に支持するように構成している。
【０００３】
ところが、上記のような従来の蝶番装置では、外枠に対して前枠を装着しようとするときに、上下両方の蝶番装置の軸支持孔８０２と支軸８０７とをともに位置合わせして（軸心を一致させて）係合させなければならず、作業が容易でないという問題があった。特に、遊技施設内での装着にあっては、外枠が遊技島に固定されて移動不能であるとともに、前枠には遊技盤や裏機構盤、制御装置等が組み込まれて相当な重量（例えば、１５〜２０kg）を有しており、さらに蝶番装置が重心位置と離れた側方に位置しているため、上下２カ所の位置決めを行う装着作業が極めて困難であるという問題があった。
【０００４】
このような問題に鑑みて、例えば、図１４に示すように、第１ヒンジ部材８００′の板状部８０１に外側面から軸支持孔８０２に繋がる導入開口８０３を形成し、第２ヒンジ部材８０５′の支軸８０７の左右を平面状にカットして平面部８０７ａ，８０７ａを形成し、支軸８０７の左右平面部８０７ａ，８０７ａの幅が導入開口８０３の幅より僅かに狭くなるように構成することが知られている。この構成では、支軸８０７の左右平面部８０７ａ，８０７ａを導入開口８０３を通過させることにより支軸８０７を側方から軸支持孔８０２内に挿入させることができ、この状態で第１および第２ヒンジ部材８００′，８０５′を水平に相対回動させれば、左右平面部８０７ａ，８０７ａが軸支持孔８０２内に回動自在に保持される。このように構成すれば、軸支持孔８０２と支軸８０７とを上下に位置合わせすることなく支軸８０７を横方向に移動させて軸支持孔８０２内に嵌入させることができるため、外枠に前枠を取り付ける作業が簡単となる。
【０００５】
【発明が解決しようとする課題】
しかしながら、この構成の場合は、軸支持孔８０２の導入開口８０３と支軸８０７の左右平面部８０７ａ，８０７ａとが対向する位置まで前枠を回動させると支軸８０７が軸支持孔８０２から外れ出て、前枠が外れるという問題がある。
【０００６】
本発明は、上記問題や課題に鑑みて成されたものであり、簡明な構成で外枠等に対して前枠等を容易に着脱させることができるとともに、一旦装着した後は、その回動位置に拘わらず前枠等を外れることなくしっかりと保持することができるような構成の遊技機の蝶番装置を提供することを目的とする。
【０００７】
【課題を解決するための手段】
上記問題および課題を解決して目的を達成するため、本発明に係る蝶番装置は、ベース部材（例えば、実施形態における外枠１）とこれに開閉可能に取り付けられる開閉部材（例えば、実施形態における前枠２）とを備えて構成される遊技機において、前記ベース部材に対して前記開閉部材を揺動開閉自在にヒンジ接続させる上下一対の蝶番装置であって、下側の前記蝶番装置が、前記ベース部材の側下部に固定されて水平に突出する下固定側板状部の上面に上方に突出して下支軸を取り付けた下固定部材と、前記開閉部材の側下部に固定されて水平に突出する下揺動側板状部に前記下支軸と嵌合可能な下軸支持孔を形成した下揺動部材とから構成され、前記下支軸を前記下軸支持孔内に嵌入させるようにして前記下揺動部材を前記下固定部材に上側から取り付けて前記下固定部材と前記下揺動部材とをヒンジ接続するように構成されており、上側の前記蝶番装置が、前記ベース部材の側上部に固定された上固定部材と、前記開閉部材の側上部に固定され、前記上固定部材にヒンジ接続される上揺動部材とから構成される。そして、前記上固定部材が、前記ベース部材に固定されて水平に突出するとともに半円状の軸支持孔およびこの軸支持孔に繋がって後方に延びた長孔状のガイド孔が形成された平板状の板部材と、前記板部材の少なくとも前記軸支持孔およびその周囲を囲む部分の下面に重なって取り付けられるとともに前記軸支持孔の下側に位置するロック孔が形成された下蓋部材とから構成され、前記板部材における前記ガイド孔の後部側に隣接する上面が少なくとも左右方向一方側に開放されて導入部が形成されており、前記上揺動部材が、前記開閉部材に固定されて水平前方に延びた上揺動側板状部と、前記上揺動側板状部の下面に下方に突出して取り付けられた上支軸とを有して構成され、前記上支軸の内部に前記上支軸の下端面から下方に突出可能なロックピンが上下に移動可能に設けられている。さらに、前記下固定部材と前記下揺動部材とをヒンジ接続させた状態で前記上支軸の下端面が前記導入部における前記板部材の上面よりも低い位置に位置するように構成されており、前記下固定部材と前記下揺動部材とをヒンジ接続させた状態で前記開閉部材の上部を前後左右方向に移動させることにより、前記ロックピンを前記下端面より上側に位置させた状態の前記上支軸を、前記導入部における前記板部材の上面上に載置させ、さらに前記導入部を越えて前記ガイド孔内に導入するとともに前記ガイド孔に沿って前記軸支持孔内まで移動させた後、前記ロックピンを下方に移動させてその下端を前記ロック孔内に突出させて前記上支軸を前記軸支持孔内に保持して前記上揺動部材を前記上固定部材にヒンジ接続させるように構成されている。
【０００８】
上記構成の蝶番装置において、好ましくは、前記板部材における前記導入部および前記ガイド孔を除く上面を覆って上板部材が取り付けられる。また、好ましくは、前記板部材における前記導入部より前側部分が上方に折れ曲がって水平に延びる先端側板部が形成されており、前記ガイド孔の前部が前記先端側板部まで延びて前記軸支持孔が前記先端側板部に形成されており、前記先端側板部の下面に前記下蓋部材が取り付けられる。上記構成の蝶番装置において、好ましくは、前記上支軸の上下方向長さより前記下支軸の上下方向長さが長く設定される。また、好ましくは、前記導入部における前記板部材の左右方向に開放された端部上面に面取りが設けられるとともに、前記上支軸の下端に全周にわたる面取りが設けられる。また、好ましくは、前記ガイド孔が基部側に幅広で前方に向かってテーパ状に幅が狭くなる形状に形成される。また、好ましくは、前記固定側基部に一体に繋がって前方に突出し、前記開閉部材が前記ベース部材に閉止状態で取り付けられた状態で前記上揺動部材の上側に位置する庇部が設けられる。
【０００９】
上記のように構成された本発明に係る蝶番装置によれば、外枠に対して前枠を接続させるときに、上下２カ所の軸支持孔と支軸とを同時に位置合わせ（芯出し）して係合させるような微妙な調整操作が必要なく、少なくとも一方の蝶番装置については上揺動部材の上支軸を上固定部材の側部の導入部からガイド孔内に側方から侵入させ、次に上支軸を前方に移動させるという簡単な操作で上支軸を軸支持孔内に位置させてこれを回動自在に且つ外れることなく保持させ、上揺動部材および上固定部材をヒンジ結合させることができる。
また、上固定部材の板部材に軸支持孔から後方に延びてガイド孔が形成されているため、軸支持孔内に位置した上支軸は前方に引っ張られると少なくとも軸支持孔の前部側において板部材に当接する。このため、開閉部材を開放したときにヒンジ接続部に水平前方に作用する力は、軸支持孔の前部に作用して板部材により受けることができ、十分な強度を確保できる。
【００１０】
【発明の実施の形態】
以下、本発明に係る遊技機の蝶番装置について、添付図面を参照しながら説明する。この実施形態では遊技機の一例としてパチンコ機を採り上げ、外枠に対して前枠を揺動開閉および着脱自在に連結する蝶番装置に本発明を適用した場合を主として説明する。まず、本実施形態に係る蝶番装置が適用されるパチンコ機ＰＭについてその概要構成を、図１を参照して要約説明する。
【００１１】
パチンコ機ＰＭは外郭方形枠サイズに構成されて縦向きの固定保持枠を成す外枠１の開口前面に、これに合わせた方形枠サイズに構成されて開閉搭載用の前枠２が互いの正面左側上下に配設された蝶番装置Ｈ1，Ｈ2で横開き開閉および着脱が可能に取り付けられ、正面右側に設けられた施錠装置４を利用して外枠１と係合された閉鎖状態で遊技に供される。
【００１２】
前枠２の各部にはパチンコ遊技を展開する遊技展開部材として、前枠２の前側面域に合わせてガラス扉５及び上球皿６が左側部に設けられた蝶番装置（図示せず）を利用してともに横開き開閉及び着脱が可能に組付けられる一方、上球皿６の下部に下球皿７、操作ハンドル８及び打球発射装置等が装備されている。前枠２の裏側には、この前枠２と一体成形された収容枠に所定のゲージ設定で構成された遊技盤９が着脱可能にセット保持され、収容枠の裏側に球貯留部や賞球払出機構等を有する裏機構盤（図示せず）が開閉及び着脱可能に装備されている。裏機構盤の各部には主制御基板やターミナル基板、音声基板等の各種基板や電子部品などが取り付けられ、各機器が図示しないワイヤーハーネスで接続されている。なお、パチンコ機ＰＭは、全体が所要の後傾角度（例えば、１度以内の後傾角）で縦向きに保持される。
【００１３】
外枠１と前枠２とを揺動開閉および着脱自在にヒンジ結合する上下一対の蝶番装置Ｈ1，Ｈ2のうち、下側の蝶番装置Ｈ2は、その斜視図を図２に示すように、外枠１の左側下部に固設される下固定金具１１０と、前枠２の左側下部に固設される下揺動金具１３０とから構成される。
【００１４】
下固定金具１１０は、外枠１の内周に固定される固定側基部１１１と、この固定側基部が直角に折り曲げられて前方に水平に突出する固定側板状部１１２と、固定側板状部の前端部に固着されて上方に突出する支軸１１５とからなり、所定板厚の鋼板を打ち抜きおよび曲げ成形して図示する形状に形成した後、外枠１の左下部にリベットおよびネジ等の締結手段を用いて固設される。下固定金具１１０は、直角に折り曲げられた固定側基部１１１の外面と固定側板状部１１２の底面とで、外枠１の内側の直交２面（左内側面および上面）に当接して、左右および上下方向に位置決めされるとともに、固定側板状部１１２の後側端面で外枠２の前面に当接して前後方向に位置決めされ、これにより外枠１に対する支軸１１５の軸線、すなわち揺動軸Ａxが位置決めされる。なお、支軸１１５の上端部は円錐状に形成されており、後述する軸支持孔１３５との嵌合を容易化している。
【００１５】
下揺動金具１３０は、前枠２の裏面側に固定される揺動側基部１３１と、この揺動側基部１３１から直角に折り曲げられて前方に水平に突出する揺動側板状部１３２とからなり、揺動側板状部１３２の前端部には上記支軸１１５と嵌合可能な軸支持孔１３５が穿設されて構成される。下揺動金具１３０は下固定金具１１０と同様に所定板厚の鋼板を打ち抜きおよび曲げ成形して図示する形状に形成した後、前枠２の左下部裏面にネジ等の図示しない締結手段を利用して固設される。下揺動金具１３０は、揺動側基部１３１が前枠２の裏面にネジ締結されることで前後、左右および上下方向に位置決めされ、前枠２に対する軸支持孔１３５の軸線が位置決めされる。
【００１６】
このように構成される下側の蝶番装置Ｈ2は、下固定金具の支軸１１５に上方から軸支持孔１３５を同軸上に位置決めして前枠２を下動させ、支軸１１５と軸支持孔１３５とを嵌合接続させることでヒンジ結合され、支持面部１１２で被支持面部１３２を支持して外枠２に対して前枠２を揺動軸Ａxまわりに揺動開閉自在に接続する。
【００１７】
このような構成の下側の蝶番装置Ｈ2と組み合わせて設けられる上側の蝶番装置Ｈ1の実施形態について以下に説明する。この蝶番装置Ｈ1はその斜視図を図３に示すように、外枠１の左側上部に固設される上固定金具１０（第１ヒンジ部材）と、前枠２の左側上部に固設される上揺動金具５０（第２ヒンジ部材）とから構成され、後述するように上固定金具１０と上揺動金具５０とがヒンジ結合される。なお、図３は上固定金具１０と上揺動金具５０とをヒンジ結合させる以前の状態を斜視図として示しており、その平面図を上固定金具１０を分解した状態で図４に示し、上固定金具１０および支軸５４を分解してその構成を詳細に示す斜視図を図５に示す。なお、各図は蝶番装置を明瞭に示すためガラス扉５を取り外した状態で記載している。
【００１８】
上固定金具１０は、外枠１の左上方角部に固定される固定側基部１１と、この固定側基部１１から前方に向けて水平に突出する固定側板状部１７とから構成される。
【００１９】
固定側基部１１は、外枠１の左上部に形成された上部取付面に固着される上辺部１２、上辺部１２と直交し外枠１の左外側面に形成された側部取付面に固着される側辺部１３、上辺部１２および側辺部１３と直交し外枠１の前端面に当接する前辺部１４からなり、前辺部１４が固定側板状部１７を構成する下板部材３０と一体に繋がる。すなわち、上固定金具１０において、固定側基部１１と下板部材３０とが所定板厚の鋼板を打ち抜きおよびプレス成形して図示する形状に一体成形された後、上記直交する三辺１２，１３，１４で外枠１の左上方角部に位置決めされ、リベット１５等により外枠１に固定される。
【００２０】
固定側板状部１７は、上述のように固定側基部１１と一体成形された下板部材３０と、下板部材３０の上面後部に取り付けられた上板部材２０と、下板部材３０の下面前部に取り付けられた下蓋部材４０とから構成される。
【００２１】
下板部材３０は固定側基部１１と一体に繋がって所定板厚の鋼板から形成されており、前辺部１４の下端から水平前方に延びる第１板部３１と、第１板部３１の前端から直角に折れ曲がって上方に延びる起立部３２と、起立部３２の上端から直角に折れ曲がって水平前方に延びる第２板部３３とから、図示のように側面視においてクランク状に形成されている。この下板部材３０には、上下に貫通するとともに前後に延びるガイド孔３５が形成されている。このガイド孔３５は平面視において、前後に細長く延び、前方に向かってテーパ状に細くなるとともに第２板部材３３上に位置する前端に半円状の軸支持孔３５ａ（正確には軸支持孔の前半部）が形成され、第１板部材３３上に位置する後端３５ｂも半円状に形成されている。
【００２２】
後述するように、第１板部３１の右側前部上面（図示における右側）が、上揺動金具５０の支軸５４がスライド移動するスライド面３４として用いられ、このときに支軸５４をスムーズにスライド面３４上に案内するための面取り３４ａがスライド面３４の右側端に形成されている。なお、第１板部３１には上板部材２０を固定するための二つのネジ孔３１ａが設けられ、第２板部３３には下蓋部材４０を固定するための二つのネジ孔３３ａおよび一つの位置決め孔３３ｂが設けられている。
【００２３】
上板部材２０は樹脂材料などにより一体成形されて作られ、平板状の平板部２１と、平板部の外周に沿って下方に突出した外周リブ２２とを有し、二つのネジ挿入孔２３が形成されている。上板部材２０は、ネジ挿入孔２３を通ってネジ孔３１ａに螺合するネジ３９により図示のように下板部材３０の第１板部３１の上に重なって取り付けられる。上板部材２０は、このようにして取り付けられたときに、平面視において、ガイド孔３５の左側縁の後半部および後端３５ｂの左側（図４等における左側縁および左側）に沿うとともに右後方に斜めに延びる側面２４を有する形状に形成されている。また、このように取り付けられたときに、上板部材２０の上面と下板部材３０の第２板部３３の上面とが同一平面上に位置する。
【００２４】
このため、上板部材２０が第１板部３１の上に取り付けられた状態で、ガイド孔３５は側面２４に沿って上方に延びて上方に開放された状態となる。同時に、第１板部３１の右前部上面も上方に開放されてこの部分がスライド面３４を形成し、ガイド孔３５の上部は上板部材２０の側面２４の側方に位置するとともにスライド面３４の上側において側方に開放して導入部が形成されている。この構成から分かるように、導入部は、スライド面３４の上側において、上板部材２０の側面２４と起立部３２の右側面３２ａとに挟まれて、右側部外方からガイド孔３５の後部に繋がる空間である。
【００２５】
下蓋部材４０は、下板部材３０の第２板部３３の下面形状と略同一の外形形状の下面板部４１と、この下面板部４１の外周に沿って上方に突出した外周リブ４２と、ネジ挿入孔４３ａを形成するため下面板部４１から上方に突出した円筒状の二つのボス部４３と、外周リブ４２の前端部上面から上方に突出した円筒状の位置決めピン部４４とを有して、樹脂材料等により一体に形成されている。また、下面板部４１の中央には上下に貫通するロック孔４５が形成されている。この下蓋部材４０は図示しないネジを下面側からネジ挿入孔４３ａに挿入して第２板部３３のネジ孔３３ａに螺合させて、第２板部３３の下面に固設される。なお、このとき、位置決めピン部４４は位置決め孔３３ｂに嵌入されて、下蓋部材４０の取り付け位置決めがなされる。このようにして位置決めされて第２板部３３の下面に下蓋部材４０が固設された状態で、第２板部３３に形成された軸支持孔３５ａの真下にロック孔４５が位置する。
【００２６】
一方、上固定金具１０にヒンジ接続される上揺動金具５０は、前枠２の裏面側に固定される揺動側基部５１、この揺動側基部５１から直角に折り曲げられて前方に水平に突出する揺動側板状部５２、および揺動側板状部５２の前端部に固着されて下方に突出する支軸５４（軸状体）からなり、図示の形状に成形した所定板厚の鋼板に支軸５４を取り付けて作られており、前枠２の左上部裏面にネジ５３により固定される。なお、揺動側基部５１には一対の取り付け位置決め突起５１ａが設けられており、前枠２が外枠１に閉止されたときに、外枠１に形成された取り付け位置決め凹部（図示せず）内に突起５１ａが嵌入して、位置決め保持されるようになっている。
【００２７】
支軸５４は、支軸本体５５とロックピン５６とから構成される。支軸本体５５は上端に円盤状のフランジ部５５ｂを有して上下に延びる円筒部５５ａから構成され、その中心を上下に貫通する雌ネジ５５ｃが形成されており、この雌ネジ５５ｃに螺合してロックピン５６が取り付けられている。ロックピン５６は、外周面に上記雌ネジ５５ｃに螺合する雄ネジ５６ｂが形成され、下端に円筒状のピン部５６ａが形成され、上端にマイナスドライバー用締結溝５６ｃが形成されている。このため、マイナスドライバー等を締結溝５６ｃに係合させてロックピン５６を回転させることにより、ロックピン５６を支軸本体５５の雌ネジ５５ｃ内で上下動させ、支軸本体５５の下端からピン部５６ａを突出させることができるようになっている。なお、支軸本体５５の円筒部５５ａの下端には面取り５５ｄが形成されている。
【００２８】
以上の構成の実施形態における上下の蝶番装置Ｈ1，Ｈ2の位置関係は、下固定金具１１０における固定側板状部１１２の上面と上固定金具１０における下板部材３０の第２板部３３および上板部材２０の上面との間隔（上下の支持面の間隔）、および下揺動金具１３０における揺動側板状部１３２の下面と上揺動金具５０における揺動側板状部５２の下面との間隔（上下の被支持面の間隔）が、略同一となるように設定されている。このため、上下の固定金具１０，１１０がそれぞれ揺動金具５０，１３０を揺動自在に支持して、前枠２の全体を開閉自在に支持する。
【００２９】
上揺動金具５０における支軸５４の下方への突出高さ（ロックピン５６のピン部５６ａが下方に突出しない状態での突出高さ）は、第２板部３３および上板部材４０の上面とスライド面３４（第１板部３１の上面）との段差よりも幾分大きめに設定されており、後述するように、ロックピン５６を下方に突出させない状態の支軸５４を導入部からガイド孔３５内に移動させたときに支軸５４の下端をガイド孔３５内に入り込ませて保持し、これが導入部を通って外れ出ることがないようにしている。また、この支軸５４の長さ（支軸本体５５の長さ）より下固定金具１１０の支軸１１５の長さが長く設定されている。
【００３０】
以上のように構成される蝶番装置Ｈ1の組み付けについて、さらに図６〜図１１を参照しつつ以下に説明する。外枠１から前枠２が外された状態から上下の蝶番装置Ｈ1，Ｈ2を連結接続させる場合に、作業者はまず下側の蝶番装置Ｈ2において、外枠側の下固定金具１１０と前枠側の下揺動金具１３０とを連結、すなわち、下固定金具１１０の支軸１１５と下揺動金具１３０の軸支持孔１３５とを嵌合接続させる。
【００３１】
次いで、作業者は上側の蝶番装置Ｈ1において、支軸５４においてロックピン５６を上方に位置させた状態（すなわち、ピン部５６ａを円筒部５５ａの下端から突出させない状態）で、外枠側の上固定金具１０と前枠側の上揺動金具５０との連結操作を行う。この連結操作はまず、前枠２を傾動させて上揺動金具５０を上固定金具１０の右側方から接近させ、支軸５４を導入部の下面を形成するスライド面３４の方に移動させる（図６（Ａ）の矢印Ａ方向の移動）。下側の蝶番装置Ｈ2において支軸１１５が軸支持孔１３５に嵌入して下固定金具１１０により前枠２を支持させた状態では、ピン部５６ａが突出しない状態の支軸５４の下端面の高さはスライド面３４よりも幾分低く、支軸５４はスライド面３４の側縁部に形成された面取り３４ａに案内されて導入部内に位置するスライド面３４の上に乗り上げるように進入する（図７の矢印Ｂ方向の移動）。このとき、支軸本体５５の下端に面取り５５ｄが設けられているため、支軸５４はスムーズにスライド面３４の上に侵入する。
【００３２】
そして、前枠２を直立方向にさらに傾動させると、支軸５４はスライド面３４の上を図７の矢印Ｂで示すようにスライド移動して（すなわち、導入部を通って）ガイド孔３５内に入り込む。このように支軸５４がガイド孔３５内に入り込んだ後に、支軸５４が前端方向に移動するように前枠２を傾動させる。これにより支軸５４はガイド孔３５に案内されて前方に移動し（図８参照）、図１０において矢印Ｃで示すように軸支持孔３５ａ内まで移動される（図９および図１０参照）。そして、この状態で、作業者はマイナスドライバー等を用いてロックピン５６を回転させて下方に移動させ、図示のようにピン部５６ａを下蓋部材４０のロック孔４５内に突入させる。これにより、支軸５４は軸支持孔３５ａ内にロック保持され、支軸５４の軸線が揺動軸Ａxと一致した状態でこの軸まわりに揺動自在に保持される（図６（Ｂ）、図９、図１０および図１１参照）。
【００３３】
このようにして連結された上下の蝶番装置Ｈ1，Ｈ2によれば、上下の揺動金具５０，１３０が上下共通する揺動軸Ａxまわりに揺動自在に支持されるとともに、それぞれの揺動金具５０，１３０が各々固定金具１０，１１０に支持されて、前枠２を上下の蝶番装置Ｈ1，Ｈ2で支持する。
【００３４】
一方、前枠２の取り外しは、前枠２を外枠１に対して所定角度開放させた状態で、そのまま上方に引き上げる簡単な操作で達成される。すなわち、前枠２を上方に引き上げることにより、上側の蝶番装置Ｈ1における支軸５４が上動されて支軸５４が軸支持孔から抜け出し、同時に下側の蝶番装置Ｈ2における軸孔部１３５が上動されて軸後部１３５と支軸１１５との係合が解除され、上下の蝶番装置Ｈ1，Ｈ2のヒンジ結合がともに解除される。
【００３５】
このように、上記蝶番装置Ｈ1，Ｈ2によれば、外枠１に前枠２を取り付けるときに、上下の蝶番装置における支軸と嵌合孔（軸支持孔）とを同時に位置決めさせる必要がなく、一カ所ずつ位置決めし係合させればよいため、重量物たる前枠２を外枠１に容易にヒンジ接続させることができる。一方、取り外し作業に際しては、前枠２を上方に引き上げるというだけの簡単な操作で外枠１に対するヒンジ接続を解除させることができる。
【００３６】
なお、外枠１に対して前枠２を開放させて支持させたときには、上側の蝶番装置に前枠２の開放端側（反連結側、すなわち施錠装置４側）を押し下げるようなモーメントが作用し、このモーメントは上固定金具を前枠２の開放方向すなわち前方に引っ張る力として作用する。本発明の蝶番装置Ｈ1では、このモーメント力を下板部材３０の軸支持孔３５ａで受け、ロックピン５６のピン部５６ａにはこのモーメント力は作用しないようになっている。このように鋼板から形成されて強度の高い下板部材３０により開放状態の前枠２を支持し、ロックピン５６には支持力を受け持たせない構成のため耐力が高く、長期信頼性と操作性とを両立させた構成となる。
【００３７】
この実施形態において、図６（ｂ）中に二点鎖線で付記するように、固定側基部１１における上辺部１２を前方に突出成形して庇部１２ａを形成し、前枠２を閉鎖した状態で庇部１２ａが上揺動金具５０の上方に突出して位置するように構成しても良い。このような構成によれば、閉鎖状態では前枠２が持ち上げられたときに庇部１２ａが揺動金具５０の上動を規制して上下の蝶番装置のヒンジ結合を維持させることができる。これにより、前枠２が閉鎖された状態でヒンジ結合を解除させようとする不正行為を有効に防止し、公正な遊技に供することができる。
【００３８】
上記実施形態における支軸５４において、ロックピン５６の回転により設定される上下位置（すなわち、ピン部５６ａの突出位置）の設定は支軸５４の下端を目視チェックして行う必要があるが、そのチェックを不要とするように、支軸を図１２に示すように構成しても良い。
【００３９】
この支軸１５４は、支軸本体６０とロックピン７０とから構成される。支軸本体６０は、上端に形成された円盤状の支軸フランジ部６１と、支軸フランジ部６１の下側に形成されて下方に延びる円筒状の第１円筒部６２と、第１円筒部６２の下側にこれと同軸の円筒状に形成されて下方に延びる第２円筒部６３とから構成され、第１円筒部６２内に上方に開放した円筒空間６５が形成され、この円筒空間６５の底面から下方に延びて支軸本体６０の中心を上下に貫通する雌ネジ６４が形成されている。この支軸本体６０は第１円筒部６２が上揺動金具５０の揺動側板状部５２の圧入孔内に圧入されて固設接合される。そして、支軸本体６０の雌ネジ６４に螺合してロックピン７０が取り付けられており、このロックピン７０は、上端に形成されて円筒空間６５内に挿入可能な外形を有したピンフランジ部７１と、ピンフランジ部７１の下側に下方に延びて形成された雄ネジ７３と、雄ネジ７３の下端に下方に延びて形成された円筒状のピン部７４とから構成され、ピンフランジ部７１の上端にマイナスドライバー用締結溝７２が形成され、ピン部７４の下端が球面状に形成されている。
【００４０】
この支軸１５４においては、雄ネジ７３を雌ネジ６４に螺合させてロックピン７０を取り付けるときに、ピンフランジ部７１を支軸フランジ部６１の上面とほぼ同一面に位置させると、図１２（Ａ）に示すように、ピン部７４は支軸本体６０内に入り込んだ状態となる。そして、マイナスドライバー等を締結溝７２に係合させてロックピン７０を回転させてロックピン７０を支軸本体６０の雌ネジ６４内で下動させることにより、支軸本体６０の下端からピン部７４を突出させる。このとき、図１２（Ｂ）に示すように、ピンフランジ部７１が円筒空間６５の底面に当接するまで（すなわち、ロックピン７０をこれ以上回転させて下動させることができなくなるまで）ロックピン７０を回転させればピン部７４はロック孔４５内に嵌入するように設定されている。このため、ロックピン７０の位置設定が簡単で、目視チェックが不要となる。
【００４１】
以上説明した実施形態における上固定金具では、固定側板状部を下板部材と上板部材と下蓋部材に分けて構成しているため、下板部材の形状が簡単となり、その成形が容易である。このため。下板部材を固定側基部と一体に繋げて一枚の鋼板から容易に成形できるとともに、十分な強度を確保できる。一方、上板部材および下蓋部材は樹脂材料から成形し、複雑な形状をこれら上板部材および下蓋部材により受け持たせることができる。
【００４２】
なお、以上の実施形態では、パチンコ機の左上部に蝶番装置Ｈ1を設け、左下部に蝶番装置Ｈ2を設けた例を説明したが、これらの蝶番装置は上下逆の構成でも良い。すなわち、上方に蝶番装置Ｈ2を設けて上方で吊り下げるように前枠２を傾動させ、下部に設けた蝶番装置Ｈ1を嵌合接続させる構成であっても良い。また、上下の蝶番装置に、ともに蝶番装置Ｈ1を設ける構成あっても良い。この場合、上下の支軸を導入部（スライド面）に乗せて前枠２を支持させたうえ水平左方に移動させて上下の支軸をガイド孔に位置させた後にロックピンをロック孔に突入させ、次いで前枠全体を前方に引くこと（または前枠２を閉鎖させること）で上下の揺動金具を固定金具に位置させた後にロックピンをロック孔に突入させれば良い。また、固定金具と揺動金具の取り付け位置は外枠と前枠が逆の配置構成であっても良い。
【００４３】
また、実施例では遊技機の一例としてパチンコ機を採り上げ、外枠１と前枠２との間に適用した場合について説明したが、本発明はかかる遊技機や配設部位に限定されるものではない。例えば、パチンコ機においては前枠に対して揺動開閉および着脱が自在に取り付けられるガラス扉や裏機構盤（裏セット盤）について同様に適用可能であり、スロットマシンにおいては筐体に対して揺動開閉および着脱が自在に取り付けられるフロントマスクやメダル皿について同様に適用可能である。
【００４４】
【発明の効果】
以上説明したように、本発明によれば、ベース部材に対して開閉部材を揺動開閉自在にヒンジ接続させる上下一対の蝶番装置における少なくとも一方の蝶番装置において、第２ヒンジ部材の軸状体を、第１ヒンジ部材の導入部からガイド孔内に導入するとともにガイド孔に沿って軸支持孔まで移動させた後、ロックピンを下方に移動させてその下端をロック孔内に突出させて軸状体を軸支持孔内に保持するように構成しているので、外枠に対して前枠を接続させるときに、上下２カ所の軸支持孔と支軸とを同時に位置合わせ（芯出し）して係合させるような微妙な調整操作が必要なく、少なくとも一方の蝶番装置については第２ヒンジ部材の軸状体を第１ヒンジ部材の側部の導入部からガイド孔内に側方から侵入させ、次に軸状体を前方に移動させた後、ロックピンを下方に移動させるという簡単な操作で軸状体を軸支持孔内に位置させて回動自在に且つ外れることなく保持させ、第１および第２ヒンジ部材をヒンジ結合させることができる。
【００４５】
また、板状部において軸支持孔から後方に延びてガイド孔が形成されているため、軸支持孔内に位置した軸状体は前方に引っ張られると少なくとも軸支持孔の前部側において板状部に当接する。このため、開閉部材を開放したときにヒンジ接続部に水平前方に作用する力は、軸支持孔の前部に作用して板状部により受けることができ、十分な強度を確保できる。特に、このようにヒンジ接続部に水平前方に作用する力を、板状部を構成する板部材（これは一般的に鋼板からなる）により受けるようにして、下蓋部材のロック孔に挿入されるロックピンにこの力を作用させないようにすることができ、これによりロックピンの損傷を防止して、蝶番装置の耐久性を向上させることができる。
【図面の簡単な説明】
【図１】本発明に係る蝶番装置を備える遊技機の一例として示すパチンコ機の外観正面図である。
【図２】上記パチンコ機における下側の蝶番装置を示す斜視図である。
【図３】本発明の実施形態となる上記パチンコ機における上側の蝶番装置を、外枠側と前枠側とに分離した状態で示す斜視図である。
【図４】上記実施形態に係る上側の蝶番装置を、下蓋部材を取り外した状態で且つ外枠側と前枠側とに分離した状態で示す平面図である。
【図５】上記実施形態に係る上側の蝶番装置の構造を説明するために、固定側板状部を分解して示す斜視図である。
【図６】上記実施形態に係る上側の蝶番装置を、固定金具と揺動金具とがヒンジ接続される前後の状態について示す平面図である。
【図７】上記実施形態に係る上側の蝶番装置を、固定金具と揺動金具とがヒンジ接続される途中の状態について示すための、図６（Ｂ）における矢印VII-VIIに沿った断面図である。
【図８】上記実施形態に係る上側の蝶番装置を、固定金具と揺動金具とがヒンジ接続される途中の状態について示すための、図６（Ｂ）における矢印VIII-VIIIに沿った断面図である。
【図９】上記実施形態に係る上側の蝶番装置を、固定金具と揺動金具とがヒンジ接続される途中の状態について示すための、図６（Ｂ）における矢印IX-IXに沿った断面図である。
【図１０】上記実施形態に係る上側の蝶番装置を、固定金具と揺動金具とがヒンジ接続される途中の状態について示すための、図６（Ｂ）における矢印Ｘ-Ｘに沿った断面図である。
【図１１】上記実施形態に係る上側の蝶番装置を、固定金具と揺動金具とがヒンジ接続された状態について示す正面図である。
【図１２】本発明に係る蝶番装置を構成するロックピンを有する支軸の異なる実施形態を示す断面図である。
【図１３】従来の蝶番装置の一例を示す斜視図である。
【図１４】従来の蝶番装置の別の例を示す斜視図である。
【符号の説明】
Ａx  揺動軸
Ｈ1  上側の蝶番装置
Ｈ2  下側の蝶番装置
ＰＭ  パチンコ機
１  外枠
２  前枠
４  施錠装置
５  ガラス扉
６  上球皿
７  下球皿
８  操作ハンドル
９  遊技盤
１０  上固定金具（第１ヒンジ部材）
１１  固定側基部
１２  上辺部
１２ａ  庇部
１３  側辺部
１４  前辺部
１５  リベット
１７  固定側板状部
２０  上板部材
２１  平板部
２２  外周リブ
２３  ネジ挿入孔
２４  側面
３０  下板部材
３１  第１板部
３２  起立部
３２ａ  右側面
３３  第２板部
３３ａ  ネジ孔
３３ｂ  位置決め孔
３４  スライド面
３４ａ  面取り
３５  ガイド孔
３５ａ  軸支持孔
３５ｂ  後端
３９  ネジ
４０  下蓋部材
４１  下面板部
４２  外周リブ
４３  ボス部
４３ａ  ネジ挿入孔
４４  位置決めピン部
４５  ロック孔
５０  上揺動金具（第２ヒンジ部材）
５１  揺動側基部
５１ａ  位置決め突起
５２  揺動側板状部
５３  ネジ
５４，１５４  支軸（軸状体）
５５  支軸本体
５５ａ  円筒部
５５ｂ  フランジ部
５５ｃ  雌ネジ
５５ｄ  面取り
５６  ロックピン
５６ａ  ピン部
５６ｂ  雄ネジ
５６ｃ  締結溝
６０  支軸本体
６１  支軸フランジ部
６２  第１円筒部
６３  第２円筒部
６４  雌ネジ
６５  円筒空間
７０  ロックピン
７１  ピンフランジ部
７２  締結溝
７３  雄ネジ
７４  ピン部
１１０  下固定金具
１１１  固定側基部
１１２  固定側板状部
１１５  支軸
１３０  下揺動金具
１３１  揺動側基部
１３２  揺動側板状部
１３５  軸支持孔
８００，８００′  第１ヒンジ部材
８０１  第１板状部
８０２  軸支持孔
８０３  導入開口
８０５，８０５′  第２ヒンジ部材
８０６  第２板状部
８０７  支軸
８０７ａ  平面部
【図１】
0004162895.tif 000002
【図２】
0004162895.tif 000003
【図３】
0004162895.tif 000004
【図４】
0004162895.tif 000005
【図５】
0004162895.tif 000006
【図６】
0004162895.tif 000007
【図７】
0004162895.tif 000008
【図８】
0004162895.tif 000009
【図９】
0004162895.tif 000010
【図１０】
0004162895.tif 000011
【図１１】
0004162895.tif 000012
【図１２】
0004162895.tif 000013
【図１３】
0004162895.tif 000014
【図１４】
0004162895.tif 000015